(57)【要約】【課題】非接触型ＩＣカードを通信装置（リーダ・ライタ）にかざした向きの情報を認証に利用してよりセキュリティの高い認証システムを提供することである。【解決手段】電波の送受信により通信装置（２１）と情報交換を行う非接触型ＩＣカード（１０）であって、所定の距離を隔てて配置された複数の方向検出アンテナ（１５、１６）と、前記通信装置からの送信電波の前記複数の方向検出アンテナでの受信タイミングの差に基づいて当該非接触型ＩＣカードが通信装置にかざされた向きを検出する方向検出手段（１１、１７、１８）と、前記方向検出手段にて検出された向きを表す方向情報を生成する方向情報生成手段（１１）と、前記方向情報を前記通信装置に送信する情報送信手段（１２、１４）とを有する構成となる。【選択図】  図１
2004341702.tif 000002
【特許請求の範囲】
【請求項１】
電波の送受信により通信装置と情報交換を行う非接触型ＩＣカードであって、
所定の距離を隔てて配置された複数の方向検出アンテナと、
前記通信装置からの送信電波の前記複数の方向検出アンテナでの受信開始タイミングの違いに基づいて前記非接触型ＩＣカードが前記通信装置にかざされた向きを検出する方向検出手段と、
前記方向検出手段にて検出された向きを表す方向情報を生成する方向情報生成手段と、
前記方向情報を前記通信装置に送信する情報送信手段とを有することを特徴とする非接触型ＩＣカード。
【請求項２】
予め定めた固有情報を記憶する固有情報記憶手段を有し、
前記情報送信手段は、前記方向情報とともに前記固有情報を前記通信装置に送信することを特徴とする請求項１記載の非接触型ＩＣカード。
【請求項３】
電波の送受信により通信装置と情報交換を行う非接触型ＩＣカードであって、
所定の距離を隔てて配置された複数の方向検出アンテナと、
前記通信装置からの送信電波の前記複数の方向検出アンテナでの受信開始タイミングの違いに基づいて前記非接触型ＩＣカードが前記通信装置にかざされた向きを検出する方向検出手段と、
前記非接触型ＩＣカードが所定回数前記通信装置にかざされた際における前記方向検出手段での検出結果に基づいてパスワード情報を生成するパスワード情報生成手段と、
前記パスワード情報を前記通信装置に送信する情報送信手段とを有することを特徴とする非接触型ＩＣカード。
【請求項４】
予め定められた固有情報を記憶する記憶手段を有し、
前記情報送信手段は、前記パスワード情報とともに前記固有情報を前記通信装置に送信することを特徴とする請求項３記載の非接触型ＩＣカード。
【請求項５】
前記方向検出手段は、前記複数の方向検出アンテナのそれぞれにて前記送信電波が受信されてからの時間を測定する計時手段を有し、前記計時手段での測定結果に基づいて前記非接触型ＩＣカードが前記通信装置にかざされた向きを検出することを特徴とする請求項１乃至４のいずれかに記載の非接触型ＩＣカード。
【請求項６】
電波の送受信により非接触型ＩＣカードと情報交換を行う通信装置と、
前記通信装置にて受信された前記非接触型ＩＣカードからの情報を前記非接触型ＩＣカードが前記通信装置にかざされた向きを表す方向情報として取得する情報取得手段と、
前記方向情報に基づいて認証処理を行う認証処理手段とを有することを特徴とする認証システム。
【請求項７】
複数の時間帯のそれぞれに対して予め定められた設定方向情報を記憶する記憶手段を有し、
前記認証処理手段は、前記記憶手段に記憶された現在時刻が属する時間帯に対して定められた設定方向情報と前記情報取得手段にて取得された前記方向情報とが一致するか否かを判定する一致判定手段を有し、前記一致判定手段での判定結果に基づいて認証処理を行うことを特徴とする請求項６記載の認証システム。
【請求項８】
電波の送受信により非接触型ＩＣカードと情報交換を行う通信装置と、
前記通信装置にて受信された前記非接触型ＩＣカードからの情報を固有情報及び前記非接触型ＩＣカードが前記通信装置にかざされた向きを表す方向情報として取得する情報取得手段と、
前記固有情報と前記方向情報とを比較し、その比較結果に基づいて認証処理を行う認証処理手段とを有することを特徴とする認証システム。
【請求項９】
前記認証処理手段は、前記方向情報と前記固有情報とが一致するか否かを判定する比較判定手段を有し、前記比較判定手段での判定結果に基づいて認証処理を行うことを特徴とする請求項８記載の認証システム。
【請求項１０】
電波の送受信により非接触型ＩＣカードと情報交換を行う通信装置と、
前記通信装置にて受信された前記非接触型ＩＣカードからの情報を前記非接触型ＩＣカードが前記通信装置に所定回数かざされた各向きに基づいたパスワード情報として取得する情報取得手段と、
前記パスワード情報に基づいて認証処理を行う認証処理手段とを有することを特徴とする認証システム。
【請求項１１】
電波の送受信により非接触型ＩＣカードと情報交換を行う通信装置と、
前記通信装置にて受信された前記非接触型ＩＣカードからの情報を固有情報及び前記非接触型ＩＣカードが前記通信装置に所定回数かざされた各向きに基づいたパスワード情報として取得する情報取得手段と、
前記固有情報及び前記パスワード情報に基づいて認証処理を行う認証処理手段とを有することを特徴とする認証システム。
【請求項１２】
複数の固有情報のそれぞれに対応するパスワード情報を記憶する記憶手段を有し、
前記認証処理手段は、前記情報取得手段にて取得された固有情報に対応するものとして前記記憶手段に記憶されたパスワード情報と前記情報取得手段にて取得されたパスワード情報とを比較する比較手段とを有し、前記比較手段での比較結果に基づいて認証処理を行うことを特徴とする請求項１１記載の認証システム。
【発明の詳細な説明】
【０００１】
【発明の属する技術分野】
本発明は、非接触型ＩＣカード及びその非接触型ＩＣカードを利用した認証システムに関する。
【０００２】
【従来の技術】
従来、非接触型ＩＣカードを利用した認証システムが提案されている。この認証システムでは、操作者が非接触型ＩＣカードをリーダ・ライタ（通信装置）にかざすと、リーダ・ライタから電波によって送信されたＩＤ読み取り要求を非接触型ＩＣカードが受信する。非接触型ＩＣカードは、そのＩＤ読み取り要求を受信すると、内部に記憶したＩＤを送信する。そして、リーダ・ライタはそのＩＤを受信すると、そのＩＤが予め登録されたＩＤと一致するか否かを判定する。その受信ＩＤが登録ＩＤと一致すると、その操作者が正規の者であるとの認証がなされたものとして、例えば、居室の扉が解錠される。一方、その受信ＩＤが登録ＩＤと一致しない場合、その操作者が正規の者であるとの認証がなされないものとして、居室の扉は解錠されることなく、例えば、警告音が発生される。
【０００３】
また、従来、非接触型ＩＣカードの通過方向を判別する機能を備えたリーダ・ライタが提案されている（例えば、特許文献１参照）。このリーダ・ライタは、２つのアンテナを備え、その２つのアンテナにて受信される通信電波の強度の相違に基づいて非接触型ＩＣカードがどちらの方向からかざされたかを検出するようにしている。この検出結果基づいて非接触型ＩＣカードのリーダ・ライタに対する通過方向が判別される。
【０００４】
【特許文献１】
特開平１１−１２０３０４号公報
【０００５】
【発明が解決しようとする課題】
しかし、前記従来の認証システムでは、非接触型ＩＣカードを不正に取得した者がその非接触型ＩＣカードをリーダ・ライタにかざした場合であっても、非接触型ＩＣカードから読み出されるＩＤと登録ＩＤが一致することから、その者が正規の者として認証されてしまう。
【０００６】
また、前記特許文献１に記載されたリーダ・ライタは、非接触型ＩＣカードがどのような方向からかざされたかは検出できるが、かざされた非接触型ＩＣカードの向きを検出することはできない。即ち、非接触型ＩＣカードのどの端部を先にしてその非接触型ＩＣカードがリーダ・ライタにかざされたかを検出することができない。
【０００７】
本発明は、前記従来の問題点に鑑みてなされたもので、非接触型ＩＣカードを通信装置（リーダ・ライタ）にかざした向きの情報を認証に利用してよりセキュリティの高い認証システムを提供するものである。
【０００８】
【課題を解決するための手段】
本発明に係る非接触型ＩＣカードは、電波の送受信により通信装置と情報交換を行う非接触型ＩＣカードであって、所定の距離を隔てて配置された複数の方向検出アンテナと、前記通信装置からの送信電波の前記複数の方向検出アンテナでの受信開始タイミングの違いに基づいて当該非接触型ＩＣカードが通信装置にかざされた向きを検出する方向検出手段と、前記方向検出手段にて検出された向きを表す方向情報を生成する方向情報生成手段と、前記方向情報を前記通信装置に送信する情報送信手段とを有する構成となる。
【０００９】
このような構成により、操作者が非接触型ＩＣカードをある向きをもって通信装置にかざすと、通信装置からの送信電波の複数の方向検出アンテナでの受信開始タイミングの違いに基づいて操作者が非接触型ＩＣカードを通信装置にかざした向きが検出される。そして、その検出された向きを表す方向情報が通信装置に送信される。
【００１０】
非接触型ＩＣカードを通信装置にかざすべき向きが予め取り決められている場合、正規の者は、確実にその取り決められた向きにて非接触型ＩＣカードを通信装置にかざすことができる。従って、操作者が非接触型ＩＣカードを前記予め取り決められた向きにて通信装置にかざさした際に通信装置にて受信される非接触型ＩＣカードからの方向情報に基づいてその操作者を正規の者として認証することができる。一方、その取決めを知りえない第三者は、確実には非接触型ＩＣカードを通信装置に前記取り決められた向きにてかざすことができない。従って、その第三者が正規の者として認証されることを極力防止することができるようになる。
【００１１】
また、本発明に係る非接触型ＩＣカードは、予め定めた固有情報を記憶する固有情報記憶手段を有し、前記情報送信手段が、前記方向情報とともに前記固有情報とを前記通信装置に送信するように構成することができる。
【００１２】
このような構成により、操作者が非接触型ＩＣカードをある向きをもって通信装置にかざすと、その向きを表す方向情報と予め定められた固有情報とが非接触型ＩＣカードから通信装置に送信される。
【００１３】
非接触型ＩＣカードを通信装置にかざすべき向きを表す方向情報と固有情報との関係が予め定め取り決められている場合、正規の者は、確実に固有情報と前記取り決められた関係となる方向情報により表される向きにて非接触型ＩＣカードを通信装置にかざすことができる。従って、操作者が非接触型ＩＣカードを前記固有情報と前記関係となる方向情報により表される向きにてかざした際に通信装置にて受信される非接触型ＩＣカード及び固有情報に基づいてその操作者を正規の者として認証することができる。一方、そのような取決めを知りえない第三者は、確実には非接触型ＩＣカードを通信装置に固有情報と前記関係となる方向情報にて表される向きにてかざすことができない。従って、その第三者が正規の者として認証されることを極力防止することができるようになる。
【００１４】
本発明に係る非接触型ＩＣカードは、電波の送受信により通信装置と情報交換を行う非接触型ＩＣカードであって、所定の距離を隔てて配置された複数の方向検出アンテナと、前記通信装置からの送信電波の前記複数の方向検出アンテナでの受信開始タイミングの違いに基づいて当該非接触型ＩＣカードが通信装置にかざされた向きを検出する方向検出手段と、当該非接触型ＩＣカードが所定回数前記通信装置にかざされた際における前記方向検出手段での検出結果に基づいてパスワード情報を生成するパスワード情報生成手段と、前記パスワード情報を前記通信装置に送信する情報送信手段とを有する構成となる。
【００１５】
このような構成により、操作者によって非接触型ＩＣカードが通信装置に所定回数かざされると、かざされる毎にその向きが検出され、その検出結果に基づいてパスワード情報が生成される。そして、そのパスワード情報が通信装置に送信される。
【００１６】
非接触型ＩＣカードを通信装置に所定回数かざす際における各向きが取り決められている場合、正規の者は、確実にその取り決められた各向きにて非接触型ＩＣカードを通信装置に所定回数かざすことができる。従って、操作者が非接触型ＩＣカードを前記取り決められた各向きにて通信装置に所定回数かざした際に通信装置にて受信される非接触型ＩＣカードからのパスワード情報に基づいてその操作者を正規の者として認証することができる。一方、その取決めを知りえない第三者とって、非接触型ＩＣカードを通信装置に前記取り決められた各向きにて所定回数かざすことは困難である。従って、その第三者が正規の者として認証されることを防止することができる。
【００１７】
また、本発明に係る非接触型ＩＣカードは、予め定められた固有情報を記憶する記憶手段を有し、前記情報送信手段が、前記パスワード情報とともに前記固有情報を前記通信装置に送信するように構成することができる。
【００１８】
このような構成により、操作者によって非接触型ＩＣカードが通信装置に所定回数かざされると、各かざされた向きの検出結果に基づいて生成されたパスワード情報と予め定められた固有情報とが非接触型ＩＣカードから通信装置に送信される。
【００１９】
非接触型ＩＣカードを通信装置に所定回数かざす際における各向きと、その各向きに基づいて生成されるパスワード情報と固有情報との関係とが予め取り決められている場合、正規の者は、確実に固有情報と前記取り決められた関係となるパスワード情報が生成されるべき各向きにて非接触型ＩＣカードを通信装置に所定回数かざすことができる。従って、操作者が非接触型ＩＣカードを前記固有情報と前記関係となるパスワード情報が生成されるべき各向きにて通信装置に所定回数かざした際に通信装置にて受信されるパスワード情報及び固有情報に基づいてその操作者を正規の者として認証することができる。一方、そのような取決めを知りえない第三者にとって、非接触型ＩＣカードを通信装置に固有情報と前記関係となるパスワード情報が生成されるべき各向きにて所定回数かざすことは困難である。従って、その第三者が正規の者として認証されることを防止することができる。
【００２０】
更に、本発明に係る非接触型ＩＣカードは、前記方向検出手段が、前記複数の方向検出アンテナのそれぞれにて前記送信電波が受信されてからの時間を測定する計時手段を有し、前記計時手段での測定結果に基づいて前記方向を検出するように構成することができる。
【００２１】
このような構成により、通信装置からの送信電波が各方向検出アンテナにて受信されてからの時間が測定される。そして、その測定結果に基づいて非接触型ＩＣカードが通信装置にかざされた向きが検出される。
【００２２】
本発明に係る認証システムは、電波の送受信により非接触型ＩＣカードと情報交換を行う通信装置と、前記通信装置にて受信された前記非接触型ＩＣカードからの情報を前記非接触型ＩＣカードが前記通信装置にかざされた向きを表す方向情報として取得する情報取得手段と、前記方向情報に基づいて認証処理を行う認証処理手段とを有する構成となる。
【００２３】
このような構成により、操作者が非接触型ＩＣカードをある向きをもって通信装置にかざした際に非接触型ＩＣカードからの情報を通信装置が受信すると、その受信情報が、前記非接触方ＩＣカードが前記通信装置にかざされた向きを表す方向情報として取得される。そして、その方向情報に基づいて認証処理がなされる。従って、非接触型ＩＣカードが通信装置にかざされたときにその向きを表す方向情報を非接触型ＩＣカードから通信装置に送信できるようにすれば、その非接触型ＩＣカードの操作者の認証を行うことが可能となる。
【００２４】
また、本発明に係る認証システムは、複数の時間帯のそれぞれに対して予め定められた設定方向情報を記憶する記憶手段を有し、前記認証処理手段が、前記記憶手段に記憶された現在時刻が属する時間帯に対して定められた設定方向情報と前記情報取得手段にて取得された前記方向情報とが一致するか否かを判定する一致判定手段を有し、前記一致判定手段での判定結果に基づいて認証処理を行うように構成することができる。
【００２５】
このような構成により、通信装置が非接触型ＩＣカードから情報を受信した際に得られる方向情報と現在時刻が属する時間帯に対して定められた設定方向情報とが一致するか否かが判定される。そして、その判定結果に基づいて認証処理がなされる。
【００２６】
更に、本発明に係る認証システムは、電波の送受信により非接触型ＩＣカードと情報交換を行う通信装置と、前記通信装置にて受信された前記非接触型ＩＣカードからの情報を前記非接触型ＩＣカードが前記通信装置にかざされた向きを表す方向情報及び固有情報として取得する情報取得手段と、前記方向情報と前記固有情報とを比較し、その比較結果に基づいて認証処理を行う認証処理手段とを有するように構成することができる。
【００２７】
このような構成により、操作者が非接触型ＩＣカードをある向きをもって通信装置にかざした際に非接触型ＩＣカードからの情報を通信装置が受信すると、その受信情報が、前記非接触型ＩＣカードが前記通信装置にかざされた向きを表す方向情報及び固有情報として取得される。そして、その方向情報と固有情報とが比較され、その比較結果に基づいて認証処理がなされる。従って、非接触型ＩＣカードが通信装置にかざされたときにその向きを表す方向情報及び固有情報を非接触型ＩＣカードから通信装置に送信できるようにすれば、その非接触型ＩＣカードの操作者の認証を行うことが可能となる。
【００２８】
本発明に係る認証システムは、前記認証処理手段が、前記方向情報と前記固有情報とが一致するか否かを判定する比較判定手段を有し、前記比較判定手段での判定結果に基づいて認証処理を行うように構成することができる。
【００２９】
このような構成により、取得された方向情報と固有情報とが一致すか否かの判定結果に基づいて認証処理がなされる。
【００３０】
また、本発明に係る認証システムは、電波の送受信により非接触型ＩＣカードと情報交換を行う通信装置と、前記通信装置にて受信された前記非接触型ＩＣカードからの情報を前記非接触型ＩＣカードが前記通信装置に所定回数かざされた各向きに基づいたパスワード情報として取得する情報取得手段と、前記パスワード情報に基づいて認証処理を行う認証処理手段とを有する構成となる。
【００３１】
このような構成により、操作者が非接触型ＩＣカードを通信装置にかざした際に非接触型ＩＣカードからの情報を通信装置が受信すると、その受信情報が、前記非接触型ＩＣカードが前記通信装置に所定回数かざされた各向きに基づいたパスワード情報として取得される。そして、そのパスワード情報に基づいて認証処理がなされる。従って、非接触型ＩＣカードが通信装置に所定回数かざされたときにその各向きに基づいたパスワード情報を非接触型ＩＣカードから通信装置に送信できるようにすれば、その非接触型ＩＣカードの操作者の認証を行うことができる。
【００３２】
更に、本発明に係る認証システムは、電波の送受信により非接触型ＩＣカードと情報交換を行う通信装置と、前記通信装置にて受信された前記非接触型ＩＣカードからの情報を前記非接触型ＩＣカードが前記通信装置に所定回数かざされた各向きに基づいたパスワード情報及び固有情報として取得する情報取得手段と、前記パスワード情報及び前記固有情報に基づいて認証処理を行う認証処理手段とを有する構成となる。
【００３３】
このような構成により、操作者が非接触型ＩＣカードを通信装置にかざした際に非接触型ＩＣカードからの情報を通信装置が受信すると、その受信情報が、前記非接触型ＩＣカードが前記通信装置に所定回数かざされた各向きに基づいたパスワード情報及び固有情報として取得される。そして、そのパスワード情報と固有情報とに基づいて認証処理がなされる。従って、非接触型ＩＣカードが通信装置に所定回数かざされたときにその各向きに基づいたパスワード情報と固有情報とを非接触型ＩＣカードから通信装置に送信できるようにすれば、その非接触型ＩＣカードの操作者の認証を行うことができる。
【００３４】
本発明に係る認証システムは、複数の固有情報のそれぞれに対応するパスワード情報を記憶する記憶手段を有し、前記認証処理手段が、前記情報取得手段にて取得された固有情報に対応するものとして前記記憶手段に記憶されたパスワード情報と前記情報取得手段にて取得されたパスワード情報とを比較する比較手段とを有し、前記比較手段での比較結果に基づいて認証処理を行うように構成することができる。
【００３５】
このような構成により、パスワード情報及び固有情報が取得されると、その固有情報に対応するものとして記憶されたパスワード情報と取得されたパスワード情報とが比較され、その比較結果に基づいて認証処理がなされる。
【００３６】
【発明の実施の形態】
以下、本発明の実施の形態について、図面を用いて説明する。
【００３７】
本発明の実施の一形態に係る非接触型ＩＣカード及び認証システムは、図１に示すように構成される。
【００３８】
図１において、非接触型ＩＣカード１０は、制御部１１、通信部１２、メモリ１３、主アンテナ１４、第一の方向検出アンテナ１５、第二の方向検出アンテナ１６、第一のタイマユニット１７及び第二のタイマユニット１８を有している。通信部１２は主アンテナ１４に接続され、主アンテナ１４を介した電波の送受信により情報の送受信を行なう。メモリ１１は、フラッシュメモリ等の不揮発性メモリにて構成され、各種情報を記憶する。
【００３９】
第一の方向検出アンテナ１５は長方形状となる非接触型ＩＣカード１０の一方の短辺側に配置される。第二の方向検出アンテナ１６は非接触型ＩＣカード１０の他方の短辺側に配置される。これにより、第一の方向検出アンテナ１５と第二の方向検出アンテナ１６とは所定の距離を隔てて配置されることとなる。第一のタイマユニット１７は、第一の方向検出アンテナ１５にて電波が受信されると、電力の供給を受けて計時動作を開始する。第二のタイマユニット１６は、第二の方向検出アンテナ１６にて電波が受信されると、電力の供給を受けて計時動作を開始する。制御部１１は、主アンテナ１４にて電波が受信されると、通信部１２を介して電力の供給を受け、通信部１２の制御を行なうとともに所定の処理を実行する。
【００４０】
認証システムは、リーダ・ライタ２１（通信装置）、制御部２２及び記憶部２３を有している。この認証システムは、居室の扉の解錠制御に利用されるものである。リーダ・ライタ２１は解錠制御の対象となる扉近傍の所定位置に設置され、非接触型ＩＣカード１０がかざされたときに、電波の送受信により非接触型ＩＣカードと情報交換を行う。また、リーダ・ライタ２１は、非接触型ＩＣカード１０から受信した情報を制御部２２に供給し、制御部２２の制御のもと非接触型ＩＣカード１０に対して情報の送信を行なう。記憶部２３は、制御部２２での認証処理に必要な情報を記憶する。制御部２２は、認証処理を行い、その認証処理にて得られた認証結果に基づいて前記扉の施錠及び解錠を行う施錠・解錠機構３０に対して制御信号を出力する。
【００４１】
このようなシステムの動作について説明する。
【００４２】
非接触型ＩＣカード１０を第一の方向検出アンテナ１５が配置された側を先にしてリーダ・ライタ２１にかざす場合、リーダ・ライタ２１の送信電波の受信可能領域に各アンテナ１４、１５、１６が
【００４３】
第一の方向検出アンテナ１５→主アンテナ１４→第二の方向検出アンテナ１６の順序で進入していく。一方、非接触型ＩＣカード１０を第二の方向検出アンテナ１６が配置された側を先にしてリーダ・ライタ２１にかざす場合、リーダ・ライタ２１の送信電波の受信可能領域に各アンテナ１４、１５、１６が、
第二の方向検出アンテナ１６→主アンテナ１４→第一の方向検出アンテナ１５の順序で進入していく。
【００４４】
例えば、非接触型ＩＣカード１０が第一の方向検出アンテナ１５の配置された側を先にしてリーダ・ライタ２１にかざされた場合、図１に示すように、まず、リーダ・ライタ２１からの送信電波の受信可能領域Ｚに第一の方向検出アンテナ１５が進入する（▲１▼）。この状態で、リーダ・ライタ２１からの送信電波が第一の方向検出アンテナ１５にて受信され、第一のタイマユニット１７が電力の供給を受ける。これにより、第一のタイマユニット１７が計時動作、例えば、カウンタのインクリメント動作を開始する。
【００４５】
次いで、前記送信電波の受信可能領域Ｚに主アンテナ１４が進入する（▲２▼）。この状態で、前記送信電波が主アンテナ１４にて受信され、制御部１１が通信部１２を介して電力の供給を受ける。これにより、制御部１１は所定の処理を開始する。更に、前記送信電波の受信可能領域Ｚに第二のアンテナ１６が進入する（▲３▼）。この状態で、リーダ・ライタ２１からの送信電波が第二の方向検出アンテナ１６にて受信され、第二のタイマユニット１８が電力の供給を受ける。これにより、第二のタイマユニット１８が計時動作、例えば、カウンタのインクリメント動作を開始する。
【００４６】
上述したような状況において、電力の供給を受ける制御部１１は、図２に示す手順に従って処理を行う（第一の動作例）。
【００４７】
図２において、制御部１１は、電力の供給を受けて動作を開始すると、第一のタイマユニット１７でのカウント値Ａ（測定時間に対応）と第二のタイマユニット１８でのカウント値Ｂ（測定時間に対応）とを確認する（Ｓ１）。そして、制御部１１は、そのカウント値Ａとカウント値Ｂとを比較する（Ｓ２）。この場合、第一の方向検出アンテナ１５での前記送信電波の受信開始タイミングが第二の方向検出アンテナ１６での前記送信電波の受信開始タイミングより早いことから、第一のタイマユニット１７でのカウント値Ａが第二のタイマユニット１８でのカウント値Ｂより大きい（Ａ＞Ｂ）との判定がなされる（Ｓ２でＹＥＳ）。この判定結果は、非接触型ＩＣカード１０のリーダ・ライタ２１にかざされた向きが、第一の方向検出アンテナ１５の配置された側が第二の方向検出アンテナ１６の配置された側より先にリーダ・ライタ２１に向かう向きであることが検出されたことを意味する。制御部１１は、前記判定結果に基づいて方向情報Ａを生成する（Ｓ３）。
【００４８】
制御部１１は、その後、リーダ・ライタ１１から送信される存在確認要求が通信部１２にて受信されたか否かを判定する（Ｓ５）。そして、その存在確認要求が受信されたとの判定がなされると、制御部１１は、前記方向情報Ａを送信すべき方向情報として通信部１２に送る（Ｓ６）。その結果、通信部１２は主アンテナ１４から前記方向情報Ａを送信する。
【００４９】
一方、非接触型ＩＣカード１０が第二の方向検出アンテナ１６の配置された側を先にしてリーダ・ライタ２１にかざされた場合、制御部１１が第一のタイマユニット１７でのカウント値Ａより第二のタイマユニット１８でのカウント値Ｂが大きいもの（Ｂ＞Ａ）と判定する（Ｓ１、Ｓ２でＮＯ）。その結果、非接触型ＩＣカード１０のリーダ・ライタ２１にかざされた向きが、第二の方向検出アンテナ１６の配置された側が第一の方向検出アンテナ１５の配置された側より先にリーダ・ライタ２１に向かう向きであることを表す方向情報Ｂが生成される（Ｓ４）。そして、通信部１２が主アンテナ１４からその方向情報Ｂを送信する（Ｓ５、Ｓ６）。
【００５０】
非接触型ＩＣカード１０の制御部１１が前述した手順に従って処理を行う場合、認証システムの制御部２２は、例えば、図３に示す手順に従って処理を行う。この場合、非接触型ＩＣカード１０をリーダ・ライタ２１にかざすべき向きとして予め取り決められた向きを表す方向情報（方向情報Ａまたは方向情報Ｂ）が設定方向情報として記憶部２３に格納されている。
【００５１】
図３において、制御部２２は、存在確認要求の送信処理を行う（Ｓ１１）とともに、その存在確認要求に対する応答があるか否かの判定を行う（Ｓ１２）。前述したように非接触型ＩＣカード１０から存在確認要求に応答して送信された方向情報（方向情報Ａまたは方向情報Ｂ）がリーダ・ライタ２１にて受信されると、制御部２２は、前記存在確認要求に対する応答があったとして（Ｓ１２でＹＥＳ）、リーダ・ライタ２１にて受信された方向情報を取得する（Ｓ１３）。そして、制御部２２は、その取得された方向情報が記憶部２３に格納された設定方向情報と一致するか否かを判定する（Ｓ１４）。取得された方向情報と設定方向情報とが一致するとの判定がなされると（Ｓ１４でＹＥＳ）、制御部２２は、解錠・施錠機構３０に対して扉の解錠を行なうべき制御信号を送る。その結果、解錠・施錠機構３０は扉の解錠を行なう。一方、前記取得された方向情報と設定方向情報とが一致しないとの判定がなされると（Ｓ１４でＮＯ）、制御部２２は、解錠・施錠機構３０に対して扉の解錠を行なうべき制御信号を送ることなく、所定の警告処理を実行する（Ｓ１６）。この警告処理では、例えば、警告音の発生、警告メッセージの表示などの処理がなされる。
【００５２】
このようなシステムでは、非接触型ＩＣカード１０をリーダ・ライタ２１にかざすべき向きとして予め取り決められた向きを知っている正規の者は、非接触型ＩＣカード１０をその向きにてリーダ・ライタ２１に確実にかざすことができる。操作者が非接触型ＩＣカード１０をリーダ・ライタ２１にそのような向きにてかざすと、認証システムの制御部２２では、取得される方向情報と設定方向情報とが一致するとの判定がなされ、即ち、操作者が正規の者であるとの認証がなされる。その結果、扉が解錠される。一方、非接触型ＩＣカード１０をリーダ・ライタ２１にかざすべき向きとして取り決められた向きを知り得ない第三者は、非接触型ＩＣカード１０をその向きにてリーダ・ライタ２１に確実にはかざせない。その第三者が非接触型ＩＣカード１０をリーダ・ライタ２１にそのような向きではない向きにてかざすと、認証システムの制御部２２では、取得される方向情報と設定方向情報とが一致しないとの判定がなされ、即ち、その第三者が正規の者であるとの認証がなされない。その結果、扉は解錠されることなく、警告音の発生や、警告メッセージの表示などがなされ、不審者の居室への侵入を未然に防止することができる。
【００５３】
非接触型ＩＣカード１０の制御部１１が図２に示す手順にて処理を行う場合、認証システムにおける制御部２２は、図４に示す手順に従って処理を行うこともできる（第二の動作例）。この場合、非接触型ＩＣカード１０をリーダ・ライタ２１にかざすべき向きが時間帯毎に取り決められている。そして、例えば、図５に示すような時間帯とその取り決められた向きを表す設定方向情報との関係を表すテーブル及びその設定方向情報が認証システムの記憶部２３に格納されている。
【００５４】
図４において、制御部２２は、存在確認要求の送信処理とともにその存在確認要求に対する応答があるか否かの判定を行っている（Ｓ２１、Ｓ２２）。このような状況において、前記存在確認要求の応答として非接触型ＩＣカード１０からの方向情報をリーダ・ライタ２１が受信すると、制御部２２はその方向情報を取得する（Ｓ２３）。そして、制御部２２は、記憶部２３に格納されたテーブルを参照し、内部タイマ（図示略）にて検出される現在時刻が属する時間帯に対応した設定方向情報を取得する（Ｓ２４）。そして、制御部２２は、前記方向情報と前記設定方向情報とが一致するか否かの判定を行う（Ｓ２５）。前記方向情報と前記設定方向情報とが一致するとの判定がなされると（Ｓ２５でＹＥＳ）、制御部２２は、解錠・施錠機構３０に対して扉の解錠を行なうべき制御信号を送る（Ｓ２６）。この制御信号に基づいた解錠・施錠機構３０の動作により扉が解錠される。一方、前記方向情報と前記設定方向情報とが一致しないとの判定がなされると（Ｓ２５でＮＯ）、制御部２２は警告処理を行う（Ｓ２７）。
【００５５】
このようなシステムでは、各時間帯において非接触型ＩＣカードをリーダ・ライタ２１にかざすべき向きとして予め取り決められた向きを知っている正規の者は、非接触型ＩＣカードを現在時刻に対して取り決められた向きにてリーダ・ライタ２１に確実にかざすことができる。操作者が非接触型ＩＣカード１０をそのような向きにてかざすと、認証システムの制御部２２では、取得される方向情報と現在時刻の属する時間帯に対して取り決められた設定方向情報とが一致するとの判定がなされ、即ち、操作者が正規の者であるとの認証がなされる。その結果、扉が解錠される。一方、各時間帯において非接触型ＩＣカード１０をリーダ・ライタ２１にかざすべき向きとして取り決められた向きを知り得ない第三者は、非接触型ＩＣカード１０を現在時刻に対して取り決められた向きにてリーダ・ライタ２１に確実にはかざすことができない。その第三者が非接触型ＩＣカード１０をリーダ・ライタ２１にそのような向きではない向きにてかざすと、認証システムの制御部２２では、取得される方向情報と設定方向情報とが一致しないとの判定がなされ、即ち、その第三者が正規の者であるとの認証がなされない。その結果、扉は解錠されることなく、警告音の発生や、警告メッセージの表示などがなされ、不審者の居室への侵入を未然に防止することができる。そして、非接触型ＩＣカード１０をリーダ・ライタ２１にかざすべき向きを時間帯毎に変えられるので、よりセキュリティの高いシステムを実現することが可能となる。
【００５６】
非接触型ＩＣカード１０の制御部１１は、図６に示す手順に従って処理を行うことができる（第三の動作例）。この場合、非接触型ＩＣカード１０をリーダ・ライタ２１にかざすべき向きとして予め取り決められた向きを表す方向情報が固有方向情報として非接触型ＩＣカード１０のメモリ１３に格納されている。
【００５７】
図６において、制御部１１は、電力の供給を受けて動作を開始すると、前述した第一の動作例（図２参照）の場合と同様に、第一のタイマユニット１７でのカウント値Ａと第二のタイマユニット１８でのカウント値Ｂとを比較する（Ｓ３１、Ｓ３２）。前記カウント値Ａが前記カウント値Ｂより大きい（Ａ＞Ｂ）との判定がなされると（Ｓ３２でＹＥＳ）、非接触型ＩＣカード１０のリーダ・ライタ２１にかざされた向きが、第一の方向検出アンテナ１５の配置された側が第二の方向検出アンテナ１６の配置された側より先にリーダ・ライタ２１に向かう向きであることを表す方向情報Ａが生成される（Ｓ３３）。一方、前記カウント値Ｂが前記カウント値Ａより大きい（Ｂ＞Ａ）との判定がなされると（Ｓ３２でＮＯ）、非接触型ＩＣカード１０のリーダ・ライタ２１にかざされた向きが、第二の方向検出アンテナ１６の配置された側が第一の方向検出アンテナ１５の配置された側より先にリーダ・ライタ２１に向かう向きであることを表す方向情報Ｂが生成される（Ｓ３４）。
【００５８】
その後、制御部１１は、リーダ・ライタ２１から送信される存在確認要求が通信部１２にて受信されたことを確認すると（Ｓ３５でＹＥＳ）、前記生成された方向情報（方向情報Ａまたは方向情報Ｂ）とメモリ１３から読み出した固有方向情報とを送信すべき情報として通信部１２に送る（Ｓ３６）。その結果、通信部１２は主アンテナ１４から前記方向情報及び固有方向情報を送信する。
【００５９】
非接触型ＩＣカード１０の制御部１１が前述した手順に従って処理を行う場合、認証システムの制御部２２は、例えば、図７に示す手順に従って処理を行う。
【００６０】
図７において、制御部２２は、存在確認要求の送信処理とともにその存在確認要求に対する応答があるか否かの判定を行っている（Ｓ４１、Ｓ４２）。このような状況において、前記存在確認要求の応答として非接触型ＩＣカード１０からの方向情報及び固有方向情報をリーダ・ライタ２１が受信すると、制御部２２はその方向情報及び固有方向情報を取得する（Ｓ４３）。そして、制御部２２は、その取得した方向情報と固有方向情報とが一致するか否かを判定する（Ｓ４４）。前記方向情報と前記固有方向情報とが一致するとの判定がなされると（Ｓ４４でＹＥＳ）、制御部２２は、解錠・施錠機構３０に対して扉の解錠を行なうべき制御信号を送る（Ｓ４５）。この制御信号に基づいた解錠・施錠機構３０の動作により扉が解錠される。一方、前記方向情報と前記固有方向情報とが一致しないとの判定がなされると（Ｓ４４でＮＯ）、制御部２２は警告処理を行う（Ｓ４６）。
【００６１】
このようなシステムでは、非接触型ＩＣカード１０をリーダ・ライタ２１にかざすべき向きとして取り決められた向きを知っている正規の者は、非接触型ＩＣカード１０をその向きにてリーダ・ライタ２１に確実にかざすことができる。操作者が非接触型ＩＣカード１０をリーダ・ライタ２１にそのような向きにてかざすと、認証システムの制御部２２では、取得される方向情報と固有方向情報とが一致するとの判定がなされ、即ち、操作者が正規の者であるとの認証がなされる。その結果、扉が解錠される。一方、非接触型ＩＣカード１０をリーダ・ライタ２１にかざすべき向きとして取り決められた向きを知り得ない第三者は、非接触型ＩＣカード１０をその向きにてリーダ・ライタ２１に確実にはかざせない。その第三者が非接触型ＩＣカード１０をリーダ・ライタ２１にそのような向きではない向きにてかざすと、認証システムの制御部２２では、前記方向情報と前記固有方向情報とが一致しないとの判定がなされ、即ち、その第三者が正規の者であるとの認証がなされない。その結果、扉は解錠されず、不審者の居室への侵入を未然に防止することができる。
【００６２】
非接触型ＩＣカード１０の制御部１１は、図８に示す手順に従って処理を行うことができる（第四の動作例）。この場合、非接触型ＩＣカード１０の所持者を特定するＩＤ（固有情報）が非接触型ＩＣカード１０のメモリ１３に格納されている。また、非接触型ＩＣカード１０をリーダ・ライタ２１にかざす操作が所定回数Ｎ０なされた後に、非接触型ＩＣカード１０からリーダ・ライタ２１に情報の送信がなされる。
【００６３】
図８において、制御部１１は、リーダ・ライタ２１にかざされた非接触型ＩＣカード１０の制御部１１は、電力の供給を受けて動作を開始すると、内部カウンタ（図示略）を＋１だけインクリメントする（Ｓ５１）。そして、制御部１１は、前述した第一の動作例（図２参照）及び第三の動作例（図６参照）の各場合と同様に、第一のタイマユニット１７でのカウント値Ａと第二のタイマユニット１８でのカウント値Ｂとを比較する（Ｓ５２、Ｓ５３）。前記カウント値Ａが前記カウント値Ｂより大きい（Ａ＞Ｂ）との判定がなされると（Ｓ５３でＹＥＳ）、非接触型ＩＣカード１０のリーダ・ライタ２１にかざされた向きが、第一の方向検出アンテナ１５の配置された側が第二の方向検出アンテナ１６の配置された側より先にリーダ・ライタ２１に向かう向きであることを表す方向情報ＡＮが生成され、その方向情報ＡＮがメモリ１３に保存される（Ｓ５４）。一方、前記カウント値Ｂが前記カウント値Ａより大きい（Ｂ＞Ａ）との判定がなされると（Ｓ５３でＮＯ）、非接触型ＩＣカード１０のリーダ・ライタ２１にかざされた向きが、第二の方向検出アンテナ１６の配置された側が第一の方向検出アンテナ１５の配置された側より先にリーダ・ライタ２１に向かう向きであることを表す方向情報ＢＮが生成され、その方向情報ＢＮがメモリ１３に保存される（Ｓ５５）。
【００６４】
その後、制御部１１は、内部カウンタのカウント値Ｎが所定回数Ｎ０に達したか否かを判定する（Ｓ５６）。そのカウント値Ｎが所定回数Ｎ０に達していないとの判定がなされると（Ｓ５６でＮＯ）、処理が終了する。
【００６５】
再度、非接触型ＩＣカード１０がリーダ・ライタ２１にかざす操作がなされると、制御部１１は、内部カウンタを＋１だけインクリメントした（Ｓ５１）後に、前述した手順（Ｓ５２、Ｓ５２、Ｓ５３、Ｓ５４（またはＳ５５））と同様の手順に従って処理を行う。そして、内部カウンタのカウント値Ｎが所定回数Ｎ０に達していないとの判定がなされると（Ｓ５６でＮＯ）、処理が終了する。
【００６６】
このように、非接触型ＩＣ１０をリーダ・ライタ２１にかざす操作がなされる毎に同様の処理がなされ、その処理の過程で、非接触型ＩＣカード１０がリーダ・ライタ２１にかざされた向きを表す方向情報ＡＮまたは方向情報ＢＮがメモリ１３に保存される。そして、非接触型ＩＣカード１０をリーダ・ライタ２１にかざす操作が所定回数Ｎ０繰り返して行われ、内部カウンタのカウント値Ｎが所定回数Ｎ０に達したとの判定がなされると（Ｓ５６でＹＥＳ）、制御部１１は、メモリ１３に保存された所定数Ｎ０の方向情報（方向情報ＡＮ及び／または方向情報ＢＮ）に基づいてパスワードを生成する（Ｓ５７）。例えば、メモリ１３に保存された所定数Ｎ０の方向情報を所定の規則に従った順番（例えば、保存された順番）に配列してパスワードを生成することができる。また、メモリ１３に保存された所定数Ｎ０の方向情報に対して所定の演算を施してパスワードを生成することもできる。
【００６７】
その後、制御部１１は、リーダ・ライタ２１から送信される存在確認要求が通信部１２にて受信されたことを確認すると（Ｓ５８でＹＥＳ）、前記生成されたパスワードとメモリ１３から読み出したＩＤとを送信すべき情報として通信部１２に送る（Ｓ５９）。その結果、通信部１２は主アンテナ１２から前記パスワード及びＩＤを送信する。
【００６８】
非接触型ＩＣカード１０の制御部１１が前述した手順にて処理を行う場合、認証システムの制御部２２は、例えば、図９に示す手順に従って処理を行う。この場合、ＩＤに対応する解錠パスワードが予め取り決められており、その解錠パスワードがＩＤに対応づけられて記憶部２３に格納されている。
【００６９】
図９において、制御部２２は、存在確認要求の送信処理とともにその存在確認要求に対する応答があるか否かの判定を行っている（Ｓ６１、Ｓ６２）。このような状況において、前記存在確認要求の応答として非接触型ＩＣカード１０からのパスワード及びＩＤをリーダ・ライタ２１が受信すると、制御部２２はそのパスワード及びＩＤを取得する（Ｓ６３）。制御部２２は、記憶部２３から前記ＩＤに対応した解錠パスワードを取得し、前記取得したパスワードと解錠パスワードとが一致するか否かを判定する（Ｓ６４）。前記パスワードと解錠パスワードとが一致するとの判定がなされると（Ｓ６４でＹＥＳ）、制御部２２は、解錠・施錠機構３０に対して扉の解錠を行なうべき制御信号を送る（Ｓ６５）。この制御信号に基づいた解錠・施錠機構３０の動作により扉が解錠される。一方、前記パスワードと解錠パスワードとが一致しないとの判定がなされると（Ｓ６４でＮＯ）、制御部２２は、警告処理を行う（Ｓ６６）。
【００７０】
このようなシステムでは、自己のＩＤに対応した解錠パスワードと一致するパスワードが得られるような非接触型ＩＣカード１０のリーダ・ライタ２１にかざす操作パターンを知っている正規の者は、非接触型ＩＣカード１０をその操作パターンに従ってリーダ・ライタ２１に所定回数Ｎ０かざすことができる。操作者が非接触型ＩＣカード１０をリーダ・ライタ２１にそのような操作パターンに従って所定回数Ｎ０かざすと、認証システムの制御部２２では、取得されるパスワードとＩＤに対応した解錠パスワードとが一致するとの判定がなされ、即ち、操作者が正規の者であるとの認証がなされる。その結果、扉が解錠される。一方、非接触型ＩＣカード１０に記録されたＩＤに対応する解錠パスワードと一致するパスワードが得られるような非接触型ＩＣカード１０のリーダ・ライタ２１にかざす操作パターンを知りえない第三者は、そのような操作パターンに従って非接触型ＩＣカード１０をリーダ・ライタ２１にかざすことができない。その第三者が非接触型ＩＣカード１０をリーダ・ライタ２１に所定回数Ｎ０かざさなければ、非接触型ＩＣカード１０から情報の送信がなされない。また、仮に、そのかざす操作が所定回数Ｎ０なされたとしても、その操作が前記操作パターンに従ってなされなければ、認証システムの制御部２２では、前記パスワードと解錠パスワードとが一致しないとの判定がなされ、即ち、その第三者が正規の者であるとの認証がなされない。いずれにしても、扉は解錠されず、不審者の居室への侵入を未然に防止することができる。
【００７１】
なお、前述した第一の動作例（図２参照）において、非接触型ＩＣカード１０から方向情報とともにＩＤを送信することもできる。この場合、認証システムの記憶部２３に設定方向情報をＩＤに対応付けて記憶させておき、非接触型ＩＣカード１０から方向情報及びＩＤが受信されたときに、その方向情報とそのＩＤに対応した設定方向情報との比較結果に基づいて認証処理を行うことができる。
【００７２】
また、第四の動作例（図８参照）において、非接触型ＩＣカード１０からパスワードだけを送信することもできる。この場合、認証システムの記憶部２３に予め定めた設定パスワードを記憶させておき、非接触型ＩＣカード１０からパスワードを受信したときに、そのパスワードと設定パスワードとの比較結果に基づいて認証処理を行うことができる。更に、その設定パスワードを時間帯毎に変えるようにすることもできる。また、更に、非接触型ＩＣカード１０から前記パスワードとともに予めメモリ１３に記憶した設定パスワードを送信することもできる。この場合、認証システムでは、受信されたパスワードと設定パスワードとの比較結果に基づいて認証を行なうことができる。
【００７３】
更に、非接触型ＩＣカード１０には２つの方向検出アンテナ１５、１６が収容されていたが、３つ以上の方向検出アンテナをそれぞれ所定の距離をへだてては位置することも可能である。この場合も、リーダ・ライタ２１からの送信電波の各方向検出アンテナでの受信タイミングに基づいて非接触型ＩＣカード１０がリーダ・ライタ２１にかざされた向きを検出することができる。
【００７４】
【発明の効果】
以上、説明したように、本願発明によれば、操作者が非接触型ＩＣカードをある向きをもって通信装置にかざすと、そのかざした向きを表す方向情報が非接触型ＩＣカードから通信装置に送信される。そして、認証システムではその通信装置にて受信された方向情報に基づいて認証処理がなされる。この非接触型ＩＣカードを通信装置にかざす向きを予め取り決めておくことにより、非接触型ＩＣカードを通信装置（リーダ・ライタ）にかざした向きの情報を認証に利用してよりセキュリティの高い認証システムを提供することができるようになる。
【図面の簡単な説明】
【図１】本発明の実施の形態に係る非接触型ＩＣカードを用いたシステムを示す図
【図２】第一の動作例における非接触型ＩＣカードでの処理の手順を示すフローチャート
【図３】第一の動作例における認証システムでの処理の手順を示すフローチャート
【図４】第二の動作例における認証システムでの処理の手順を示すフローチャート
【図５】認証システムに保存される時間帯と設定方向情報との関係を表すテーブルを示す図
【図６】第三の動作例における非接触型ＩＣカードでの処理の手順を示すフローチャート
【図７】第三の動作例における認証システムでの処理の手順を示すフローチャート
【図８】第四の動作例における非接触型ＩＣカードでの処理の手順を示すフローチャート
【図９】第四の動作例における認証システムでの処理の手順を示すフローチャート
【符号の説明】
１０  非接触型ＩＣカード
１１  制御ユニット
１２  通信部
１３  メモリ
１４  主アンテナ
１５  第一の方向検出アンテナ
１６  第二の方向検出アンテナ
１７  第一のタイマユニット
１８  第二のタイマユニット
２１  リーダ・ライタ
２２  制御部
２３  記憶部
３０  解錠・施錠機構
【図１】
2004341702.tif 000003
【図２】
2004341702.tif 000004
【図３】
2004341702.tif 000005
【図４】
2004341702.tif 000006
【図５】
2004341702.tif 000007
【図６】
2004341702.tif 000008
【図７】
2004341702.tif 000009
【図８】
2004341702.tif 000010
【図９】
2004341702.tif 000011